(57)【要約】光ケーブルを通して主基地局と遠隔基地局との遅延を測定して補償する装置及び方法を提供する。主基地局は、ＳＤＨフレームのオーバーヘッド部に所定のテストパターンを挿入して遠隔基地局に伝送し、遠隔基地局によってループバックされたＳＤＨフレームを受信してテストパターンを検出した後、テストパターンによって伝送遅延を測定する。また、受信されたＳＤＨフレームの内の所定の位置で少なくとも１つのＦＡＷを検出し、ＦＡＷ検出情報によって遅延誤差を計算する。遅延誤差をもって測定された伝送遅延を補償し、光ケーブルによる伝送遅延を求める。モデムは、遠隔基地局に伝送する基底帯域信号の遅延を補償する。
2006515489.tif 000002
【特許請求の範囲】
【請求項１】
同期ディジタルハイアラーキ(ＳＤＨ)標準に従う光ケーブルを通して遠隔基地局に接続される主基地局と前記遠隔基地局との間の伝送遅延を測定して補償する装置であって、
ＳＤＨフレームのオーバーヘッド部にテストパターンを挿入して前記遠隔基地局に伝送すると共に、前記遠隔基地局によってループバックされた前記ＳＤＨフレームを受信して、前記遠隔基地局のＳＤＨフレームから少なくとも１つのフレーム整列ワード(ＦＡＷ)を検出するＳＤＨ処理部と、
前記テストパターンを含む前記ＳＤＨフレームの往復遅延をカウントした値によって測定した伝送遅延に前記フレーム整列ワードの検出情報によって求められた遅延誤差を加算して前記主基地局と前記遠隔基地局との間の伝送遅延値を求める制御部と、
前記制御部によって求められた伝送遅延値に応じて前記遠隔基地局に伝送するための基底帯域信号の伝送遅延を補償するモデム(ＭＯＤＥＭ)と、
を含むことを特徴とする装置。
【請求項２】
前記ＳＤＨ処理部は、
所定のフレーム周期ごとに前記遠隔基地局に伝送されるＳＤＨフレームに前記テストパターンを挿入するテストパターン挿入器と、
前記所定のフレーム周期ごとに前記遠隔基地局から受信されるＳＤＨフレームから前記テストパターンを検索するテストパターン検索器と、
前記テストパターンの挿入の時にスタートされ、前記テストパターンの検索の時に停止され、前記テストパターンを含むＳＤＨフレームの往復遅延に対応するカウント値を前記制御部に出力する遅延カウンタと、
前記受信されたＳＤＨフレームからＦＡＷを検出し、前記検出されたＦＡＷの位置情報を前記制御部に出力するＦＡＷ検出器と、
を含むことを特徴とする請求項１記載の装置。
【請求項３】
前記ＦＡＷ検出器は、
前記遠隔基地局から受信されるデータを１ビットずつシフトして、所定のサイズを有する複数の内部モジュールにそれぞれ貯蔵するデータレジスタと、
前記モジュールに貯蔵されたデータを所定のＦＡＷパターンと比較して、前記所定のＦＡＷパターンと一致するデータを有するモジュールの位置情報を前記制御部に出力する同期パターン検出器と、
を含むことを特徴とする請求項２記載の装置。
【請求項４】
前記モデムは、
前記基底帯域信号の伝送遅延をチップ時間の単位で補償することを特徴とする請求項１記載の装置。
【請求項５】
前記モデムは、
前記基底帯域信号を前記求められた伝送遅延値より大きい所定のチップ時間だけ前に伝送することを特徴とする請求項４記載の装置。
【請求項６】
前記制御部は、
前記遠隔基地局が前記求められた伝送遅延値を１チップ時間以下で補償することができるように、前記求められた伝送遅延値に関する情報を前記遠隔基地局に提供することを特徴とする請求項１記載の装置。
【請求項７】
同期ディジタルハイアラーキ(ＳＤＨ)標準に従う光ケーブルを通して遠隔基地局に接続される主基地局と前記遠隔基地局との間の伝送遅延を測定して補償する装置であって、
前記主基地局から前記光ケーブルを通して伝送遅延値を示す伝送遅延情報を受信する制御部と、
前記主基地局から受信される基底帯域信号を中間周波数(ＩＦ)信号に変換し、前記受信された伝送遅延情報に従って前記変換された中間周波数信号の伝送遅延を１チップ時間以下の単位で補償し、前記補償された中間周波数信号を無線周波数(ＲＦ)信号に変換してアンテナを通して放射する無線周波数処理部と、
を含むことを特徴とする装置。
【請求項８】
前記無線周波数処理部は、
前記伝送遅延値に従って前記主基地局によって補償されたチップ時間単位の遅延を除外した残りのチップ時間以下の遅延を補償することを特徴とする請求項７記載の装置。
【請求項９】
前記無線周波数処理部は、
前記基底帯域信号のオーバーサンプリング及び位相等化を遂行する有限インパルス応答(ＦＩＲ)フィルターと、
所定のインターポレーション比率に従って、前記有限インパルス応答フィルターの出力をインターポレーションした後、前記伝送遅延情報に従って所定の時間だけ遅延して出力するインターポレータと、
前記インターポレータの出力を前記中間周波数帯域のデータに変換する周波数変換器と、
前記中間周波数帯域のデータをアナログ信号に変換するディジタル／アナログ変換器と、
前記アナログ信号を前記無線周波数帯域信号に変換するＲＦ送信器と、
前記無線周波数信号をアンテナを通して放射するアンテナ前段部と、
を含むことを特徴とする請求項７記載の装置。
【請求項１０】
前記インターポレータは、
前記伝送遅延値に従って、前記主基地局によって補償されたチップ時間単位の遅延を除外した残りの１チップ時間以下の遅延を１チップ時間から引いた時間だけ前記有限インパルス応答フィルターの出力を遅延させることを特徴とする請求項９記載の装置。
【請求項１１】
同期ディジタルハイアラーキ(ＳＤＨ)標準に従う光ケーブルを通して遠隔基地局に接続される主基地局と前記遠隔基地局との間の伝送遅延を測定して補償する方法であって、
ＳＤＨフレームのオーバーヘッド部にテストパターンを挿入して前記遠隔基地局に伝送し、前記遠隔基地局によってループバックされた前記ＳＤＨフレームを受信するステップと、
前記ＳＤＨフレームから少なくとも１つのフレーム整列ワード(ＦＡＷ)を検出するステップと、
前記テストパターンを含む前記ＳＤＨフレームの往復遅延をカウントした値によって測定した伝送遅延に前記フレーム整列ワードの検出情報によって求められた遅延誤差を加算して前記主基地局と前記遠隔基地局との間の伝送遅延値を求めるステップと、
前記制御部によって求められた伝送遅延値に応じて前記遠隔基地局に伝送するための基底帯域信号の伝送遅延を補償するステップと、
を含むことを特徴とする方法。
【請求項１２】
前記テストパターンを挿入するステップは、
所定のフレーム周期ごとに前記遠隔基地局に伝送されるＳＤＨフレームのオーバーヘッド部に前記テストパターンを挿入することを特徴とする請求項１１記載の前記方法、
【請求項１３】
前記フレーム整列ワードを検出する方法は、
前記所定のフレーム周期ごとに前記遠隔基地局から受信されるＳＤＨフレームから前記テストパターンを検索するステップと、
前記テストパターンの挿入の時にスタートされ、前記テストパターンの検索の時に停止され、前記テストパターンを含むＳＤＨフレームの往復遅延に該当するカウント値を前記制御部に出力するステップと、
前記受信されたＳＤＨフレームからＦＡＷを検出し、前記検出されたＦＡＷの位置情報を出力するステップと、
を含むことを特徴とする請求項１１記載の方法。
【請求項１４】
前記検出されたＦＡＷの位置情報を出力するステップは、
前記遠隔基地局から受信されるデータを１ビットずつシフトし、
所定のサイズを有する複数の内部モジュールに前記シフトされたデータを貯蔵し、
前記モジュールに貯蔵されたデータを予め決定されたＦＡＷパターンと比較して、前記所定のＦＡＷパターンと一致するデータを有するモジュールの位置情報を前記制御部に出力することを特徴とする請求項１３記載の方法。
【請求項１５】
前記基底帯域信号の伝送遅延を補償するステップは、
前記基底帯域信号の伝送遅延をチップ時間の単位を用いて補償することを特徴とする請求項１１記載の方法。
【請求項１６】
前記基底帯域信号の伝送遅延を補償するステップは、
前記基底帯域信号を前記求められた伝送遅延値より大きい所定のチップ時間だけ前に伝送することを特徴とする請求項１５記載の方法。
【請求項１７】
同期ディジタルハイアラーキ(ＳＤＨ)標準に従う光ケーブルを通して遠隔基地局に接続される主基地局と前記遠隔基地局との間の伝送遅延を測定して補償する方法であって、
前記主基地局から前記光ケーブルを通して伝送遅延値を示す伝送遅延情報を受信するステップと、
前記主基地局から受信される基底帯域信号を中間周波数(ＩＦ)信号に変換し、前記受信された伝送遅延情報に従って前記変換された中間周波数信号の伝送遅延を１チップ時間以下の単位で補償するステップと、
前記補償された中間周波数信号を無線周波数(ＲＦ)信号に変換してアンテナを通して放射するステップと、
を含むことを特徴とする請求項１記載の方法。
【請求項１８】
前記伝送遅延をチップ時間の以下の単位に補償するステップは、
前記伝送遅延値に従って前記主基地局によって補償されたチップ時間の単位の遅延を除外した残りの１チップ時間以下の遅延を補償することを特徴とする請求項１７記載の方法。
【請求項１９】
前記伝送遅延を１チップ時間以下の単位で補償するステップは、
前記伝送遅延値に従って、前記主基地局によって補償されたチップ時間単位の遅延を除外した残りの１チップ時間以下の遅延を１チップ時間から引いた時間だけ前記有限インパルス応答フィルターの出力を遅延することを特徴とする請求項１７記載の方法。
【発明の詳細な説明】
【技術分野】
【０００１】
本発明は、同期式移動通信システムに関し、特に、光ケーブルを通して接続される主基地局と遠隔基地局との間の遅延を測定して補償する装置及び方法に関する。
【背景技術】
【０００２】
セルラー移動通信システムは、全体のサービス領域を複数のセル(cells)に区分し、基地局(base stations)を用いてセルのそれぞれをカバー(Cover)する。実際の無線環境では、隣接セルは、相互に一部が重なっており、このセルが重なっている領域では、使用者端末(user mobile unit)は、２以上の基地局からの信号を受信することができる。このような場合、セルラー(cellular)移動通信システムでセル間を移動する使用者端末の通話を保持するためには、基地局間で通話制御信号を受け取るハンドオフ(Handoff)手順が必須的である。もちろん、符号分割多重接続(Code Division Multiple Access；ＣＤＭＡ)技術に基づいた同期式移動通信システムでハンドオフを支援するためには、基地局の相互間で同期化が実施されなければならない。
【０００３】
地方(rural district)に比べて、使用者の密集度が相対的に高い都会地域(urban district)の場合、セルは、さらに狭い小型セル(pico-cells or micro-cells)に分割される必要がある。このような場合、小型セルは、主基地局(Main base station)に接続される小容量を有する遠隔基地局(Remote base stations)によってそれぞれカバーされる。通常、主基地局は、ＣＤＭＡディジタル信号を処理するディジタルユニット(Digital unit)を備え、遠隔基地局は、無線周波数(Radio Frequency；ＲＦ)搬送波信号を処理する無線周波数ユニット(RF unit)を備えるように設計される。遠隔基地局は、同軸ケーブル(coaxial cable)、無線接続、光ケーブル(optical cable)等を通して主基地局に接続されることができる。移動通信システムが徐々に高速化されるにつれて、大容量の信号を低損失(low loss)で長距離伝送することができる光ケーブルに関する関心が高くなっている。
【０００４】
主基地局及び遠隔基地局が数ｋｍから数十ｋｍの比較的長距離に離れているとき、主基地局から遠隔基地局に順方向基底帯域信号(forward baseband signal)を伝送するのに必要な時間は、距離に比例し、主基地局と遠隔基地局との間には、比較的大きい時間遅延が発生する。このように、比較的大きい時間遅延は、相互に異なる値を有する。相互に異なる時間遅延は、遠隔基地局からのＲＦ信号の非同期的な伝送をもたらす。特に、移動端末がソフトハンドオフによって複数の遠隔基地局と通信する場合、基地局と遠隔基地局との非同期化は、移動端末の通話品質を深刻に低下させる。
【０００５】
図１は、典型的な小型セルのアーキテクチャを使用する移動通信システムの構成を示すブロック図である。
図１に示すような移動通信システムにおいて、３つの遠隔基地局（ＲＵ）２１ないし２３が１つの主基地局（ＭＵ）２０に接続され、遠隔基地局２１乃至２３のそれぞれは、主基地局２０から受信した基底帯域信号をＲＦ信号に変換してソフトハンドオフ中である移動端末１０に伝送する。すなわち、移動端末１０は、同一のデータを有している３個のＲＦ信号を遠隔基地局２１から２３から受信する。
【０００６】
図２は、図１に示した主基地局２０及び遠隔基地局２１乃至２３のうち１つの詳細な構成を示すブロック図である。主基地局２０と遠隔基地局２１乃至２３のうち１つとを接続するために、光通信技術の１つである同期ディジタルハイアラーキ(Synchronous Digital Hierarchy:ＳＤＨ)方式を使用している。
【０００７】
図２を参照すると、主基地局２０は、ディジタル基底帯域信号を処理するディジタル処理部(Digital Processing unit)２０ａと、このディジタル基底帯域信号とＳＤＨフレームとの間の変換動作を遂行するＳＤＨ処理部(ＳＤＨ Processing unit)２０ｂと、ＳＤＨフレームと光信号との間のインターフェースを遂行する電／光インターフェース(Electric/Optical Interface)２０ｃと、を含む。また、遠隔基地局２１は、光信号とＳＤＨフレームとの間のインターフェースを遂行する電／光インターフェース２１ａと、このＳＤＨフレームとこのディジタル基底帯域信号との間の変換動作を遂行するＳＤＨ処理部２１ｂと、このディジタル基底帯域信号とＲＦ信号との間の変換動作を遂行する無線周波数(ＲＦ)処理部２１ｃと、を含む。
【０００８】
移動通信システムが使用する従来の通信技術は、高い伝送率で、エラーなく、データを長距離伝送することに焦点を合わせており、ケーブルによる遅延は、まったく考慮されていない。特に、同期式ＣＤＭＡ移動通信システムは、使用者の識別(identification)及び符号／復号(Coding/Decoding)のようなディジタルの処理がチップ(Chip)と呼ばれる最も小さなデータ要素に基づいて行われるために信号の位相に非常に影響を受けやすい。ここで、１チップは、１．２２８８Ｍｃｐｓのチップの速度を使用するときは８１３．８ｎｓに該当する。このような同期式ＣＤＭＡシステムで遠隔基地局が同期化されなければ、これによって、遠隔基地局の領域間を移動する端末のハンドオフに障害が発生し、基地局からの信号を検出するための動作が不可能になる。結果的に、通信が適切に遂行されることができない。
【０００９】
さらに、遠隔基地局と主基地局とが同期化されない結果、従来の通信技術では、主基地局と遠隔基地局とを光ケーブルを通して接続する移動通信システムにおいて、光信号の伝送に関連する各種の状態を確認することができず、且つ、システムの状態の管理及びエラーの検出(Error Detection)等の一連の処理が適切に行われない。また、ディジタル基底帯域信号を処理する際に、光ケーブルによる伝送遅延(propagation delay)値を単純に計算することができない、という問題がある。
【発明の開示】
【発明が解決しようとする課題】
【００１０】
上記背景に鑑みて、本発明の目的は、同期式移動通信システムで光ケーブルを用いて主基地局に接続される遠隔基地局を同期化する装置及び方法を提供することにある。
本発明の他の目的は、光ケーブルを用いて接続される主基地局と遠隔基地局との間の伝送遅延を計算して測定する装置及び方法を提供することにある。
本発明のさらなる目的は、主基地局からのオーバーヘッド情報を用いて主基地局と遠隔基地局との間の伝送遅延を測定する装置及び方法を提供することにある。
本発明のもう一つの目的は、主基地局と遠隔基地局との間のフレーム整列情報を検出して伝送遅延を精密に補正する装置及び方法を提供することにある。
本発明のさらに他の目的は、主基地局と遠隔基地局との間の伝送遅延を測定して計算すると共に、該伝送遅延を補償する装置及び方法を提供することにある。
【課題を解決するための手段】
【００１１】
このような目的を達成するために、ＳＤＨ標準に従う光ケーブルを通して遠隔基地局に接続される主基地局とこの遠隔基地局との伝送遅延を測定して補償する装置は、ＳＤＨフレームのオーバーヘッドにテストパターンを挿入してこの遠隔基地局に伝送し、この遠隔基地局によってループバックされたこのＳＤＨフレームを受信し、この遠隔基地局のＳＤＨフレームから少なくとも１つのＦＡＷを検出するＳＤＨ処理部と、このテストパターンを含むこのＳＤＨフレームの往復遅延をカウントした値によって測定した伝送遅延に前記フレーム整列ワードの検出情報によって求められた遅延誤差を加算してこの遠隔基地局との伝送遅延値を求める制御部と、この制御部によって求められた伝送遅延値に応じてこの遠隔基地局に伝送するための基底帯域信号の伝送遅延を補償するモデムと、を含むことを特徴とする。
【００１２】
また、ＳＤＨ標準に従う光ケーブルを通して遠隔基地局に接続される主基地局とこの遠隔基地局との伝送遅延を測定して補償する装置は、この主基地局からこの光ケーブルを通して伝送遅延値を示す伝送遅延情報を受信する制御部と、この主基地局から受信される基底帯域信号をＩＦ信号に変換し、この受信された伝送遅延情報に従ってこの変換されたＩＦ信号の伝送遅延をチップ時間の以下の単位に補償し、この補償されたＩＦ信号をＲＦ信号に変換してアンテナを通して放射するＲＦ処理部と、を含むことを特徴とする。
【００１３】
さらに、ＳＤＨ標準に従う光ケーブルを通して遠隔基地局に接続される主基地局とこの遠隔基地局との伝送遅延を測定して補償する方法は、ＳＤＨフレームのオーバーヘッドにテストパターンを挿入してこの遠隔基地局に伝送し、この遠隔基地局によってループバックされたこのＳＤＨフレームを受信するステップと、このＳＤＨフレームから少なくとも１つのＦＡＷを検出するステップと、このテストパターンを含むこのＳＤＨフレームの往復遅延をカウントした値によって測定した伝送遅延にこのフレーム整列ワードの検出情報によって求められた遅延誤差を加算してこの遠隔基地局との伝送遅延値を求めるステップと、この制御部によって求められた伝送遅延値に応じてこの遠隔基地局に伝送するための基底帯域信号の伝送遅延を補償するステップと、を含むことを特徴とする。
【００１４】
なお、ＳＤＨ標準に従う光ケーブルを通して遠隔基地局に接続される主基地局とこの遠隔基地局との伝送遅延を測定して補償する方法は、この主基地局からこの光ケーブルを通して伝送遅延値を示す伝送遅延情報を受信するステップと、この主基地局から受信される基底帯域信号をＩＦ信号に変換し、この受信された伝送遅延情報に従ってこの変換されたＩＦ信号の伝送遅延をチップ時間の以下の単位に補償するステップと、この補償されたＩＦ信号をＲＦ信号に変換してアンテナを通して放射するステップと、を含むことを特徴とする。
【発明の効果】
【００１５】
本発明は、移動通信システムにおいて、主基地局と遠隔基地局との間の伝送遅延を１／２５６チップの最小誤差で精密に計算し、同期不一致による通信品質の劣化及びハンドオフの失敗という問題を解消することができる。また、移動通信システムは、移動通信加入者の分布及び特性等に基づいて遠隔基地局を配置することができ、これによって、ネットワークを効率的に管理することができる。
【発明を実施するための最良の形態】
【００１６】
以下、本発明の好適な実施形態について添付図を参照しつつ詳細に説明する。下記説明において、本発明の要旨のみを明瞭にするために公知の機能又は構成に対する詳細な説明は省略する。なお、図面中、同一の構成要素及び部分には、可能な限り同一の符号及び番号を共通に使用するものとする。そして、後述される用語は、本発明での機能に基づいて定義されたもので、これは、使用者又はチップ設計者の意図又は慣例に従って変わることができる。従って、その定義は、本発明の全般にわたった内容に基づいて定められる。
【００１７】
後述される本発明の実施形態は、移動通信システムにおいて、同期ディジタルハイアラーキ(Synchronous Digital Hierarchy；ＳＤＨ)の標準を使用して光ケーブルを通して主基地局に接続される遠隔基地局を同期化する。本発明の実施形態に従って、主基地局と遠隔基地局との間の正確な伝送遅延を測定して計算し、主基地局のディジタルユニット及び遠隔基地局の中間周波数（intermediate frequency; ＩＦ）ユニットでこれを補償する。
【００１８】
よく知られているように、ＳＤＨは、光ケーブルを通したデータの伝送を同期化するための標準技術として、Ｅ１、Ｔ１、及びＤＳ３のような低速信号を同期伝送モジュール(Synchronous Transport Modules; ＳＴＭ)−Ｎ(Ｎ＝１、４、１６、６４、２５６)に基づいた光信号に時分割多重化(Time Division Multiplex；ＴＤＭ)する方式である。各ＳＴＭのビットレートは、Ｎ＝１の場合、１５５．５２Ｍｂｐｓ(Mega-bits per second)、Ｎ＝４の場合、６２２．０８Ｍｂｐｓ、Ｎ＝１６の場合、２，４８８．３２Ｍｂｐｓ、Ｎ＝６４の場合、９，９５３．２８Ｍｂｐｓ、Ｎ＝２５６の場合、３９，８１３．１２Ｍｂｐｓである。ＳＴＭ−Ｎは、より高いレベルの伝送モジュールであり、ＳＴＭ−１のビットレートのＮ倍に基づいたものであり、ＳＴＭ−１フレームをバイト単位で多重化する。
【００１９】
このようなＳＤＨの主な特徴のうちの１つは、光ケーブルを使用する設備を通して、特に、ネットワーク装置間の通信、ペイロードのアクセス、ネットワークの維持及び管理(Operations and Administrative Maintenance and Provisioning；ＯＡＭ＆Ｐ)のための十分なオーバーヘッド情報を提供することである。ＯＡＭ＆Ｐは、故障の監視(Fault surveillance)、性能の監視(Performance monitoring)、設備管理提供(Provisioning)、及び保安(Security)機能を含む。
【００２０】
従って、本発明の実施形態は、ＳＤＨの予備のオーバーヘッド情報を用いてＳＤＨ標準に従って光ケーブルに相互に接続される主基地局と遠隔基地局との間の伝送遅延を測定することを可能にする。しかしながら、ＳＤＨのオーバーヘッド情報のみを用いて主基地局と遠隔基地局との間の伝送遅延を測定すると、測定可能な遅延の範囲は、ＳＤＨ装置に供給される基準システムクロック(すなわち、１９．４４ＭＨｚ)によって制限される。従って、遅延誤差を正確に計算するための追加の方法が必要である。このような遅延誤差を計算するときには、フレーム整列ワード(Frame Alignment Word；以下、ＦＡＷと称する)を用いる。すなわち、主基地局から受信されたＳＤＨフレームからＦＡＷを検出し、その位置情報に従って伝送遅延の誤差を精密に計算する。
【００２１】
図３は、本発明の一実施形態に従う主基地局の構成を示すブロック図である。
図３に示すように、主基地局は、ディジタル基底帯域信号を処理するディジタル処理部(Digital Processing unit)１００と、ディジタル基底帯域信号とＳＤＨフレームとの間の変換動作を遂行するＳＤＨ処理部(Processing unit)１０６と、ＳＤＨフレームと遠隔基地局の光信号との間のインターフェースを遂行する電／光インターフェース(Electric／Optical Interface)１３４と、光ケーブルを通して遠隔基地局への伝送遅延を補償するためにディジタル処理部１００を制御する制御部１０４と、から構成される。
【００２２】
ディジタル処理部１００は、変調復調器であるモデム(Modulator and Demodulator；ＭＯＤＥＭ)１０２を備え、モデム１０２は、送信データを生成してＳＤＨ処理部１０６に提供し、ＳＤＨ処理部１０６からの受信データを処理する。
ＳＤＨ処理部１０６は、ＳＤＨフレームを生成するフレーマ(framer)１０８と、テストパターンを検索して挿入すると共に伝送遅延を測定する遅延測定器１１６と、オーバーヘッド及びペイロード情報を分析するデフレーマ(de-framer)１２８と、ＦＡＷを検出するＦＡＷ検出器１２６と、並／直列(Ｐ／Ｓ)変換器１１４、及び直／並列(Ｓ／Ｐ)変換器１２４と、を備える。
【００２３】
フレーマ１０８は、ペイロード生成器１１０とオーバーヘッド生成器１１２とを含む。フレーマ１０８は、この送信データを使用してペイロード生成器１１０によって生成されたＳＤＨペイロード情報に、オーバーヘッド生成器１１２によって生成されたＳＤＨオーバーヘッド情報を付加してＳＤＨフレームを生成する。ＳＤＨフレームは、並／直列変換器１１４によって直列変換された後、Ｅ／Ｏインターフェース１３４を通して遠隔基地局に伝達される。
【００２４】
ＳＤＨフレームがＥ／Ｏインターフェース１３４を通して遠隔基地局からＳＤＨフレームが受信されると、ＳＤＨ処理部１０６の直／並列変換器１２４は、ＳＤＨフレームを並列変換してＦＡＷ検出器１２６を通してデフレーマ１２８に提供する。ここで、ＦＡＷ検出器１２６の動作については後述される。
【００２５】
デフレーマ１２８は、オーバーヘッド分析器１３０とペイロード分析器１３２とを含む。デフレーマ１２８は、オーバーヘッド分析器１３０によって並列変換されたＳＤＨフレームからオーバーヘッド情報を抽出して分析し、この抽出されたオーバーヘッド情報を参照し、ペイロード分析器１３２によって抽出されたペイロード情報をモデム１０２に提供する。
【００２６】
図４は、本発明の実施形態に従って主基地局と遠隔基地局との間で交換されるＳＤＨフレームの構造を示す。図４に、光ケーブルを通して１５５．５２Ｍｂｐｓの速度で伝送されるＳＴＭ−１フレームのみを示す。上述したように、ＳＴＭ−Ｎフレームは、ＳＴＭ−１の上位階層であり、ＳＴＭ−１フレームをバイト単位で多重化する。
【００２７】
図４を参照すると、ＳＴＭ−１フレームは、９行×２７０バイトで構成され、ＳＴＭ−１フレームの周期は、１２５μｓ(micro-second)である。その結果、ＳＴＭ−１フレームの伝送速度は、１５５．５２Ｍｂｐｓ(＝９*(８*２７０／１２５μｓ)である。ＳＴＭ−１フレームの左側９バイトは、フレームの監視と網運用(ＯＡＭ＆Ｐ)のため使用されるオーバーヘッド区間(Section Overhead: ＳＯＨ)を示し、ＳＴＭ−１フレームの右側２６１バイトは、使用者の情報を含む管理単位(Administrative Unit；ＡＵ)グループを示す。図４の上段部は、このＳＯＨをさらに詳細に示すもので、このＳＯＨは、信号再生成(Signal Regeneration)、多重化(Multiplexing)、スイッチング(Swtiching)、及び管理単位ポインター(ＡＵ Pointer)に関連した情報を伝送する。この管理単位グループは、使用者の音声及びデータを運搬するペイロード部と、経路状態についての情報を運搬する経路オーバーヘッド(Path Overhead；ＰＯＨ)部と、から構成される。
【００２８】
本発明の実施形態に従って、このオーバーヘッド区間の特定のバイトに所定のテストパターンを挿入して主基地局と遠隔基地局との間の伝送遅延を測定することができる。例えば、このオーバーヘッド区間の自動保護切替え(Automatic Protection Switching；ＡＰＳ)のために割り当てられたバイトであるＫ２にテストパターンを挿入することができる。
【００２９】
さらに図３を参照すると、フレーマ１０８がＳＤＨフレームを生成するとき、遅延測定器(Delay Measurer)１１６に含まれたテストパターン挿入器(Test Pattern Inserter)１１８は、オーバーヘッド生成器１１２によって生成されたオーバーヘッド部に所定のテストパターンを挿入する。このテストパターンを挿入するとき、遅延カウンタ１２２がスタート(START)される。遅延カウンタ１２２は、１９．４４ＭＨｚのシステムクロックと同期し、１６ビットのカウント値を出力する。
【００３０】
フレーマ１０８は、このテストパターンを含むオーバーヘッド部をペイロード生成器１１０によって生成されたペイロード部に付加してＳＤＨフレームを生成する。ＳＤＨフレームは、並列／直列変換器１１４によって直列変換された後、Ｅ／Ｏインターフェース１３４によって光信号に変換される。Ｅ／Ｏインターフェース１３４は、光信号を遠隔基地局に伝送する。そうすると、遠隔基地局のＳＤＨ処理部では、このテストパターンが挿入されたＳＤＨフレームをこの主基地局のＳＤＨ処理部にループバックする。
【００３１】
主基地局と遠隔基地局との間の距離が所定の距離以上である場合、各ＳＤＨフレームにテストパターンを挿入するときに、伝送遅延が間違って判断されることもあり得る。例えば、主基地局と遠隔基地局との間の距離が１８．７５Ｋｍ以上であり、フレーム周期１２５μｓごとにテストパターンを挿入して伝送すると仮定すると、主基地局と遠隔基地局との間の距離が１２５０ｍである場合と２０Ｋｍである場合とについて、同一の距離として計算され得る。従って、テストパターン挿入器１１８は、所定周期(例えば、５個のフレーム周期)ごとにテストパターンを挿入し、このようにテストパターンを含むフレームをスーパーフレーム(Super Frame)と称する。
【００３２】
遅延測定器１１６に含まれたテストパターン検索器(Test Pattern Searcher)１２０は、このようにテストパターンが挿入されたＳＤＨフレーム(すなわち、スーパーフレーム)を伝送する。この後、遠隔基地局からスーパーフレームが受信される度に、パターン検索器１２０は、この受信されたフレームに定められたオーバーヘッド位置(例えば、図４に示す“Ｋ２”)を検査して、テストパターン挿入器１１８によって挿入されたものと同一の所定のテストパターンが含まれているか否かを確認する。
【００３３】
確認の結果、このテストパターン挿入器１１８によって挿入されたものと同一のテストパターンが含まれていると、テストパターン検索器１２０は、遅延カウンタ１２２を停止(STOP)させる。遅延カウンタ１２２からのカウント値が制御部１０４に伝達される。このとき、遅延カウンタ１２２は、システムクロック１９．４４ＭＨｚに応答して動作する。
【００３４】
遅延カウンタ１２２からのカウンタ値を受信した制御部１０４は、このテストパターンが挿入されたＳＤＨフレームの送信動作とこの遠隔基地局によってループバックされたＳＤＨフレームの受信動作との間の往復遅延(Round Trip Delay；ＲＴＤ)を求める。そして、制御部１０４は、この求められたＲＴＤから所定のＳＤＨフレーム処理時間を引いた後に２で割ることによって、この主基地局とこの遠隔基地局との間の伝送遅延を測定することができる。
【００３５】
図５は、図３に示した遅延カウンタ１２２によって測定可能な遅延範囲をチップ時間の単位に基づいて示す説明図である。ここで、１．２２８８ Ｍｃｐｓの標準チップの速度を使用する場合、１個のチップ時間は、８１３．８ｎｓである。図５に示すように、遅延カウンタ１２２のカウント値によって小数点４桁(ｄ３〜ｄ[−４])までの伝送遅延を求めることができるが、それ以下の少数位の遅延誤差は、求めることができないことが分かる。ＦＡＷ検出器１２６は、この遅延誤差を補正する。
【００３６】
ＦＡＷ検出器１２６のＦＡＷ検出動作は、ビット単位で遂行されるので、ＦＡＷを使用して検出することができる遅延値は、１５５．５２Ｍｂｐｓの速度を使用する場合、１／２×（１／１５５．５２ Ｍｂｐｓ)＝ ３．２１５ｎｓである。ＦＡＷ検出器１２６が認識する最小の遅延値は、６．４３ｎｓ(＝１／１５５．５２ Ｍｂｐｓ＝１／１２８チップ)である。しかしながら、ＲＴＤを考慮すると、実質的に測定可能な遅延値は、６．４３ｎｓの半分である３．２１５ｎｓになる。
【００３７】
すなわち、遅延カウンタ１２２による伝送遅延の測定は、約１／３２チップ時間の単位で行われる。電源のオン(On)又はオフ(Off)による偏差が１／３２チップ以上になるので、実質的なマージンを考慮した伝送遅延の測定単位は、約１／４〜１／８チップの水準になる。一方、ＦＡＷを使用して検出することができる誤差の範囲は、１／２５６チップ(３．２１５ｎｓ)単位であり、外部的な要因による偏差を考慮しても、約１／３２〜１／６４チップの水準を保証するので、これを用いると、１／６４チップ水準の精密なクロック補償が行われることができる。
【００３８】
図６は、図３に示したＦＡＷ検出器１２６の詳細な構成を示すブロック図である。
図６を参照すると、クロック配分器１２４ａは、１５５．５２ＭＨｚのＳＴＭ−１クロックを受信して８分周することによって１９．４４ＭＨｚのシステムクロックを生成し、これをＳＤＨ処理部１０６の各構成要素に提供する。直列／並列変換器１２４は、光ケーブルを通して遠隔基地局から１５５．５２ＭＨｚの速度で受信される直列データ(例えば、ＳＴＭ−１フレーム)を１９．４４ＭＨｚのこのシステムクロックに応答して８ラインの並列データに変換してＦＡＷ検出器１２６に伝達する。
【００３９】
遅延器１２６ａは、この並列変換されたデータを１ビットずつ遅延する。データレジスタ１２６ｂを構成する８個のモジュールは、８ビットをそれぞれ貯蔵する。従って、データレジスタ１２６ｂは、６ｎｓずつの位相差を有する８個の８ビットのデータ(実際には１５ビットのデータ)を貯蔵する。
【００４０】
ＳＴＭ−１フレームの場合、フレームの開始を示すＦＡＷは、“Ｆ６(１１１１０１１０)”の１６進値と“２８(００１０１０００)”の１６進値に設定される。このようなＦＡＷは、図４に示すＳＴＭ−１フレームのＡ１とＡ２との位置に３回ずつ反復されて挿入されている。すなわち、Ａ１の位置には“Ｆ６”が３回挿入されており、Ａ２の位置には“２８”が３回挿入されている。その後、同期パターン検出器１２６ｃは、この８個のモジュールに貯蔵されたこの８ビットのデータを“Ｆ６”及び“２８”のＦＡＷとそれぞれ比較し、ＦＡＷと一致するデータを有するモジュールを選択する。
【００４１】
図７は、このモジュールに貯蔵されたデータによってＦＡＷを検出する動作を示すタイミング図である。図示の簡略化のために、ＦＡＷは、２回反復された“Ｆ６”と“２８”で定義されるものとする。
図７を参照すると、１５５．５２ＭＨｚの速度で受信された直列データＳｅｒｉａｌ＿Ｄａｔは、１９．４４ＭＨｚのクロックに同期して並列データＰａｒａ１１_Ｄ[０]に変換される。そうすると、並列データＰａｒａ１１_Ｄ[０]と、この並列データＰａｒａ１１_Ｄ[０]を１ビットずつシフトして生成された７個の並列データＰａｒａ１１_Ｄ[１]、Ｐａｒａ１１_Ｄ[２]、．．．、Ｐａｒａ１１_Ｄ[７]が、データレジスタ１２６ｃの各モジュールに貯蔵される。
【００４２】
同期パターン検出器１２６ｃは、毎クロック周期ごとに、データレジスタ１２６ｃの各モジュールに貯蔵されたデータを“Ｆ６”及び“２８”とそれぞれ比較し、特定のモジュールで２回の“Ｆ６”及び２回の“２８”が特定のモジュールに貯蔵されたデータに含まれていると、該当モジュールでＦＡＷが検出されたものと判断する。そうすると、このＦＡＷが検出されたモジュールの位置情報は、伝送遅延を計算することができるように制御部１０４に提供され、このＦＡＷが検出されたモジュールに貯蔵されたデータは、受信データを検出することができるようにデフレーマ１２８に伝達される。
【００４３】
ここで、このＦＡＷが検出されたモジュールの位置情報は、８個のモジュールのうち、該当モジュールを示すビット値“１”を含む８ビットの情報であるか、又は、この該当モジュールのインデックスを示す３ビットの情報であり得る。制御部１０４は、このＦＡＷが検出されたモジュールの位置に従って主基地局と遠隔基地局との間の遅延誤差を計算する。
【００４４】
図７の場合、一番目のモジュール(Ｐａｒａ１１_Ｄ[０])には、連続的に２回の“Ｆ６”と２回の“２８”が存在するので、制御部１０４に提供される位置情報は“１０００００００”又は“０００”である。そうすると、制御部１０４は、主基地局と遠隔基地局との間の遅延誤差が０ｎｓであると判断する。３番目のモジュール(Ｐａｒａ１１_Ｄ[２])でＦＡＷが検出されると、主基地局と遠隔基地局との間の遅延誤差は１／２×(１／１５５．５ＭＨｚ)＝３．２ｎｓである。
【００４５】
制御部１０４は、このように求められた遅延誤差をＳＤＨフレームのテストパターンによって測定された遅延値に加えることによって、主基地局と遠隔基地局との間の正確な遅延を求め、モデム１０２を制御して伝送遅延を補償する。
【００４６】
具体的な例を挙げて説明すると、ＳＤＨ処理部１０６は、１５５．５２ＭｂｐｓのＳＤＨフレーム(すなわち、ＳＴＭ−１フレーム)のオーバーヘッド部に既に決定された所定のテストパターンを挿入して遠隔基地局に伝送する。このとき、ＳＤＨ処理部１０６は、システムクロック(１９．４４ＭＨｚ)で遅延カウンタ１２２をスタートする。遅延カウンタ１２２は、このシステムクロックに同期して、５１．４ｎｓ(＝１／１９．４４ＭＨｚ)ごとにカウント値を“１”ずつ増加させる。
【００４７】
この遠隔基地局から受信されたＳＤＨフレームのオーバーヘッドに含まれているテストパターンが以前に伝送されたＳＤＨフレームと同一のテストパターンである場合、遅延カウンタ１２２は、停止してカウント値を出力する。ここで、このカウント値が“１００”であれば、ＲＴＤは、５１４０．０ｎｓ(＝１００×５１．４ｎｓ)である。ＲＴＤ値を２で割ると、このテストパターンによって測定された時間遅延は２５７２．０ｎｓになる。
【００４８】
また、受信経路で１５５．５２Ｍｂｐｓの直列データ(又はＳＴＭ−１フレーム)を１９．４４ＭＨｚのシステムクロックで並列変換すると、５１．４ｎｓごとに８ビットのデータが連続的に発生する。この８ビットのデータで所定のＦＡＷの位相に該当する位置を検出し、６．４ｎｓ(＝１／１５５．５２ＭＨｚ)の時間単位を使用してこの主基地局とこの遠隔基地局との間の伝送ケーブルによる時間遅延誤差を計算する。ここで、ＦＡＷが検出された位置が３番目であるとすると、伝送ケーブルによって発生する時間遅延誤差は、６．４ｎｓ(＝２×１／２×６．４ｎｓ、ここで、“２”は、ＦＡＷ検出に基づいた一種のオフセット値である。)になる。この場合、この主基地局とこの遠隔基地局との間の伝送ケーブルの時間遅延は、２５７８．４ｎｓ(＝２５７２．０ｎｓ＋６．４ｎｓ)である。
【００４９】
制御部１０４は、この測定されて計算された伝送遅延によって遠隔基地局に伝送されるデータの遅延を補償する。ここで、チップ時間(８１３．８ｎｓ)単位の遅延は、主基地局のモデム１０２によって補償され、１チップ時間単位以下の遅延は、遠隔基地局によって補償される。
【００５０】
まず、主基地局による補償を説明すると、ＳＤＨ処理部によって測定されて計算された伝送遅延の値は、主基地局がモデム１０２を制御するのに用いられる。モデム１０２は、使用者データを変調して基底帯域信号を出力するので、この基底帯域信号を出力するのに必要なクロックを調整すると、チップ時間単位の伝送遅延を補償することができる。具体的に、モデム１０２による遅延補償は、複数の遠隔基地局に伝送される信号を遅延時間だけ繰り上げて伝送することによって行うことができる。
【００５１】
上述した例で計算された伝送遅延２５７８．４ｎｓをチップ時間の数に換算すると、３．１６８３チップ(＝２５７８．３ｎｓ／８１３．８ｎｓ)である。これは、３チップ＋０．１６８３チップ（＝４チップ−０．８３１７チップ）と同一であるので、主基地局に含まれているモデムは、伝送しようとする基底帯域信号を４チップ長だけ前に伝送する。
【００５２】
図８は、主基地局から相互に異なる距離に位置した主基地局と３つの遠隔基地局との間の光ケーブルの遅延を補償する動作の一例を示す説明図である。
図８を参照すると、主基地局(ＭＵ)３０は、光ケーブルを通して３個の遠隔基地局３１、３２、３３に接続される。第１の遠隔基地局３１と主基地局３０との距離が一番短く、第３の遠隔基地局３３と主基地局３０との距離が一番長い。主基地局３０のＳＤＨ処理部１０６は、ＳＤＨフレームのオーバーヘッド部に挿入されたテストパターンの往復カウント値をＦＡＷ検出情報を制御部１０４に提供し、制御部１０４は、これを用いて第１〜第３の遠隔基地局３１、３２、３３との遅延値ｔ１、ｔ２、ｔ３をそれぞれ求める。ここで、この遅延値は、ｔ１<ｔ２<ｔ３の関係を有する。
【００５３】
制御部１０４の制御の下に、モデム１０２は、一番長い遅延時間ｔ３を有する第３の遠隔基地局３３のための基底帯域信号をまず出力し(Ｐ３で)、モデム１０２は、一番短い遅延時間ｔ１を有する第１の遠隔基地局３１のための基底帯域信号を最後に出力する(Ｐ１で)。そうすると、この基底帯域信号は、光ケーブルを通過しつつそれぞれｔ１、ｔ２、ｔ３だけ遅延し、結局、ほぼ同一の時間Ｔに遠隔基地局３１、３２、３３に到着する。
【００５４】
ここで、基底帯域信号がほぼ同一の時間に到着するということは、上述したように、モデム１０２は、チップ時間以下の遅延補償が不可能であるからである。チップ時間以下の遅延補償のために、制御部１０４は、この計算されて測定された伝送遅延に関する情報を制御情報の形態でＳＤＨフレームを通して遠隔基地局に提供する。
【００５５】
遠隔基地局は、この伝送遅延に関する情報を用いて主基地局から受信された信号の同期を精密に補償する。すなわち、この遠隔基地局から出力された信号を精密に補償することによって、遠隔基地局から伝播された信号間の位相同期を維持する。
【００５６】
図９は、本発明の一実施形態に従う遠隔基地局の構造を示すブロック図である。
図９に示すように、遠隔基地局は、光信号とＳＤＨフレームとのインターフェースを遂行するＥ／Ｏインターフェース２１０と、ＳＤＨフレームとディジタル基底帯域信号との間の変換動作を遂行するＳＤＨ処理部２２０と、ディジタル基底帯域信号とＲＦ信号との間の変換動作を担当するＲＦ処理部２３０と、遠隔基地局への光ケーブルを通した伝送遅延を補償するために、ＲＦ処理部２３０を制御する制御部２００と、から構成される。
【００５７】
この遠隔基地局による送信動作を説明すると、Ｅ／Ｏインターフェース２１０は、光ケーブルを通して主基地局から受信された光信号をＳＤＨフレームに変換した後にＳＤＨ処理部２２０に伝達する。そうすると、ＳＤＨ処理部２２０は、この受信されたＳＤＨフレームに含まれているオーバーヘッドとペイロード情報を分析し、送信データをＲＦ処理部２３０に伝送する。ＲＦ処理部２３０は、この送信データをＩＦ信号に変換し、このＩＦ信号をＲＦ信号に変換した後、アンテナＡＮＴを通して放射する。
【００５８】
この主基地局から受信されたＳＤＨフレームがこの主基地局と遠隔基地局との間の伝送遅延情報を含んでいる場合、ＳＤＨ処理部２２０は、これを制御部２００に提供する。制御部２００は、この伝送遅延情報を用いてＲＦ処理部２３０の送信動作を制御する。すなわち、この受信データをＩＦ信号に変換すると、ＲＦ処理部２３０は、該当遅延時間だけ信号を遅延させた後にアンテナを通して伝送する。
【００５９】
図１０は、図９に示すＲＦ処理部２３０の詳細な構成を示すブロック図である。
図１０を参照すると、直／並列変換器２３２は、ＳＤＨ処理部２２０からの２９．４９１２ＭＨｚのシステムクロックに同期して直列化された(Serialized)１つのフレームの送信データをチップ速度(Chip Rate)に基づいた並列データに変換する。ＦＩＲ(Finite Impulse Response)フィルター２３４は、この並列データで４８タップシェーピングフィルタリング(Shaping Filtering)動作を遂行して４チップの速度(ＣＨＩＰ*４)でオーバーサンプリング動作を遂行し、ＦＩＲフィルター２３４は、６４タップ位相等化(Phase Equalization)動作によって信号特性を安定化させる。ＦＩＲフィルター２３４は、主基地局に位置した管理者によってフィルタリング係数(Filtering Coefficients)を変更することができるように構成される。
【００６０】
このフィルタリングされたデータの速度は、４チップの速度であるので、ＩＦ速度を得るために、インターポレータ(Interpolator)２３６によってサンプリング率を高める。このサンプリング率を高めるために、インターポレータ２３６は、このフィルタリングされたデータの速度(data rate)を４８タップＨＢＦ(Half Band Filter)によって２倍インターポレーションを遂行して８チップの速度(ＣＨＩＰ*８)に増加させ、さらに６４タップＣＩＣ(Cascade Integrator Comb)フィルターによって８倍インターポレーションを遂行して６４チップの速度(ＣＨＩＰ*６４)に増加させる。
【００６１】
周波数変換器２３８は、６４チップの速度(７８．６４３２ＭＨｚ)で動作する乗算器(Multiplier)を含み、インターポレータ２３６からの出力に同位相(In phase)及び直交位相(Quadrature phase)チャンネルに従ってコサイン波及びサイン波を乗じて２０ＭＨｚのＩＦ帯域に上昇変換(up-convert)する。この上昇変換されたデータは、サンプリング率７８．６４３２ＭＨｚ(６４チップの速度)に基づいたディジタル／アナログ変換器(Digital to Analog Converter)２４０によって１４ビットの分解能(resolution)に従ってアナログ変換される。ＲＦ送信器２４２は、このアナログ変換されたＩＦ信号をＲＦ帯域信号に変換し、送信アンテナ前段部(Transmit Antenna Front End Unit；Ｔｘ ＡＦＥＵ)２４４は、この変換されたＲＦ信号を増幅し、帯域通過フィルタリング動作を遂行して送信アンテナＴｘ_ＡＮＴを通して放射する。
【００６２】
ここで、ＦＩＲフィルター２３４又はインターポレータ２３６は、制御部２００からの遅延補償情報によって出力信号を１／６４(又は１／４８)チップ単位で遅延させることによって、主基地局と遠隔基地局との間の伝送遅延を補償することができる。
【００６３】
以下、インターポレータ２３６による遅延補償動作を説明すると、インターポレータ２３６は、ＣＩＣフィルタリングされた信号を所定タップ数だけ遅延させて出力することによって伝送遅延を補償することができる。ここで、ＣＩＣフィルターは、６４タップを有するので、１つのタップは、１／６４チップに該当する遅延時間を意味する。
【００６４】
例えば、主基地局によって測定されて計算された時間遅延が２５７８．４ｎｓ(＝３．１６８３チップ＝４チップ−０．８３１７チップ)であるとすると、遠隔基地局は、主基地局から４チップ長だけ予め伝送された基底帯域信号を、光ケーブルを通して受信する。この主基地局から提供された遅延情報が正確な場合、この遠隔基地局は、この基底帯域信号を伝送しようとする時点より０．８３１７チップだけ前に受信されたことを判断する。６４タップＣＩＣフィルターは、この基底帯域信号を５３タップ時間(＝５３／６４チップ＝０．８２８１２５×８１３．８ｎｓ＝６７３．９２ｎｓ)だけ遅延させた後、ＩＦ帯域の信号に変換する。遠隔基地局での補償の結果は、３チップ(２４４１．４０６ｎｓ)＋１１タップ時間(＝１１／６４チップ＝０．１７１８７５×８１３．８ｎｓ＝ １３９．８７２ｎｓ)＝２５８１．２７８ｎｓであり、この主基地局によって計算された時間遅延２５７８．４ｎｓに比べてほぼ２．８８ｎｓの非常に小さい誤差を有する。
【００６５】
以上、本発明の詳細について具体的な実施の形態に基づき説明してきたが、本発明の要旨を逸脱することなく、各種の変形が可能なのは明らかである。従って、本発明の範囲は、上記実施の形態に限定されるものではなく、特許請求の範囲の記載及び該記載と均等なものにより定められるべきである。
【図面の簡単な説明】
【００６６】
【図１】典型的な小型セルの構造を使用する移動通信システムの構成を示すブロック図である。
【図２】図１に示した主基地局と遠隔基地局の詳細な構成を示すブロック図である。
【図３】本発明の一実施形態に従う主基地局の構成を示すブロック図である。
【図４】本発明の一実施形態に従う主基地局と遠隔基地局との間の伝送遅延を測定するのに用いられるＳＴＭ−１フレームの構造を示す説明図である。
【図５】図３に示した遅延カウンタによって測定可能な遅延範囲とＦＡＷ検出器によって補正可能な遅延誤差の範囲をチップ時間の単位に基づいて示す説明図である。
【図６】図３に示したＦＡＷ検出器の詳細な構成を示すブロック図である。
【図７】モジュールに貯蔵されたデータによってＦＡＷを検出する動作を示すタイミング図である。
【図８】本発明の一実施形態に従ってループバックされたＳＤＨフレームによって伝送遅延を測定して計算する動作の一例を示す説明図である。
【図９】本発明の一実施形態に従う遠隔基地局の構成を示すブロック図である。
【図１０】図９に示したＲＦ処理部の詳細な構成を示すブロック図である。
【符号の説明】
【００６７】
１００  ディジタル処理部
１０４  制御部
１０６  ＳＤＨ処理部
１３４  電／光（Ｅ／Ｏ）インターフェース
【図１】
2006515489.tif 000003
【図２】
2006515489.tif 000004
【図３】
2006515489.tif 000005
【図４】
2006515489.tif 000006
【図５】
2006515489.tif 000007
【図６】
2006515489.tif 000008
【図７】
2006515489.tif 000009
【図８】
2006515489.tif 000010
【図９】
2006515489.tif 000011
【図１０】
2006515489.tif 000012
【国際調査報告】
2006515489.tif 000013
2006515489.tif 000014